(57)【要約】【課題】ネットワークを介してエレベータなどの昇降機のモデリングを提供する場合に、モデリングの処理速度を従来に比して向上することができる昇降機のモデリング装置およびモデリング方法を提供する。【解決手段】実施形態によれば、情報処理装置とネットワークを介して接続され、前記情報処理装置からの昇降機の仕様を含む作成条件に応じて、前記昇降機の３次元のモデルである昇降機モデルを設計する際に使用する部品情報を用いて前記昇降機モデルを作成する昇降機のモデリング装置が提供される。前記昇降機のモデリング装置は、前記昇降機モデルを前記昇降機の生産工程単位に分割した基本モデルを作成し、前記昇降機の用品の輸送ユニット単位で前記基本モデルを組み合わせた組立モデルを作成し、前記昇降機の用品の工事組立工程の単位で前記組立モデルを組み合わせた通信モデルを作成し、前記通信モデルを前記情報処理装置に送信する制御部を備える。【選択図】図１
2020095311.tif 000002
【特許請求の範囲】
【請求項１】
情報処理装置とネットワークを介して接続され、前記情報処理装置からの昇降機の仕様を含む作成条件に応じて、前記昇降機の３次元のモデルである昇降機モデルを設計する際に使用する部品情報を用いて前記昇降機モデルを作成する昇降機のモデリング装置において、
前記昇降機モデルを前記昇降機の生産工程単位に分割した基本モデルを作成し、前記昇降機の用品の輸送ユニット単位で前記基本モデルを組み合わせた組立モデルを作成し、前記昇降機の用品の工事組立工程の単位で前記組立モデルを組み合わせた通信モデルを作成し、前記通信モデルを前記情報処理装置に送信する制御部を備える昇降機のモデリング装置。
【請求項２】
前記制御部は、前記作成条件から前記昇降機モデルのモデル容量を算出し、前記モデル容量に応じて、前記昇降機モデルの分解および組立を行って前記通信モデルを作成する請求項１に記載の昇降機のモデリング装置。
【請求項３】
前記制御部は、前記通信モデルを作成した後に、前記情報処理装置との間の通信状況に応じて、前記通信モデルの分解および組立を行って新たな前記通信モデルを作成する請求項１または２に記載の昇降機のモデリング装置。
【請求項４】
前記制御部は、前記情報処理装置からの前記昇降機モデルの表示処理要求が出された部分に対応する通信モデルから優先的に前記情報処理装置に送信する請求項１から３のいずれか１つに記載の昇降機のモデリング装置。
【請求項５】
前記制御部は、前記基本モデルに前記作成条件中のオプション仕様を付加したオプションモデルをさらに作成し、前記基本モデルまたは前記オプションモデルを組み合わせて前記組立モデルを作成する請求項１から４のいずれか１つに記載の昇降機のモデリング装置。
【請求項６】
情報処理装置とネットワークを介して接続され、前記情報処理装置からの昇降機の仕様を含む作成条件に応じて、前記昇降機の３次元のモデルである昇降機モデルを設計する際に使用する部品情報を用いて前記昇降機モデルを作成する昇降機のモデリング方法において、
前記昇降機モデルを前記昇降機の生産工程単位に分割した基本モデルを作成する工程と、
前記昇降機の用品の輸送ユニット単位で前記基本モデルを組み合わせた組立モデルを作成する工程と、
前記昇降機の用品の工事組立工程の単位で前記組立モデルを組み合わせた通信モデルを作成する工程と、
前記通信モデルを前記情報処理装置に送信する工程と、
を含む昇降機のモデリング方法。
【発明の詳細な説明】
【技術分野】
【０００１】
本発明の実施形態は、昇降機のモデリング装置およびモデリング方法に関する。
【背景技術】
【０００２】
クラウド上のサーバでモデリングを行うシステムが知られている。このようなシステムでは、モデルの容量が増加した場合には、サーバシステム内でリソースの割当てを行ったり、処理サーバを分散したりして、負荷分散を行うことによって、処理速度の向上が図られている。
【先行技術文献】
【特許文献】
【０００３】
【特許文献１】特開２０１６−１０２０２３号公報
【特許文献２】国際公開第２０１７／１９９３４３号
【発明の概要】
【発明が解決しようとする課題】
【０００４】
エレベータでは、ＢＩＭ（Building  Information  Modeling）を用いたモデリングが行われている。モデルの容量が大きくなると、情報処理装置の補助記憶領域の通信容量を超えてしまい、モデリング処理に時間がかかる。特に、エレベータのモデリングでは建物の躯体の他、様々な機械・電気用品から構成される。そのため、高階床または多台数からなるエレベータをモデリングする場合には、処理が終わるまでより時間がかかってしまう。また、エレベータのモデリングをクラウドサービスで提供する場合には、サービスを提供する側の環境に影響を受けるため、大容量をモデリングする設計者にとっては十分な処理速度を得られない可能性がある。
【０００５】
本発明の一つの実施形態は、ネットワークを介してエレベータなどの昇降機のモデリングを提供する場合に、モデリングの処理速度を従来に比して向上することができる昇降機のモデリング装置およびモデリング方法を提供することを目的とする。
【課題を解決するための手段】
【０００６】
本発明の一つの実施形態によれば、情報処理装置とネットワークを介して接続され、前記情報処理装置からの昇降機の仕様を含む作成条件に応じて、前記昇降機の３次元のモデルである昇降機モデルを設計する際に使用する部品情報を用いて前記昇降機モデルを作成する昇降機のモデリング装置が提供される。前記昇降機のモデリング装置は、前記昇降機モデルを前記昇降機の生産工程単位に分割した基本モデルを作成し、前記昇降機の用品の輸送ユニット単位で前記基本モデルを組み合わせた組立モデルを作成し、前記昇降機の用品の工事組立工程の単位で前記組立モデルを組み合わせた通信モデルを作成し、前記通信モデルを前記情報処理装置に送信する制御部を備える。
【図面の簡単な説明】
【０００７】
【図１】図１は、実施形態によるＢＩＭシステムの機能構成の一例を模式的に示すブロック図である。
【図２】図２は、エレベータのＢＩＭ部品の一例を示す図である。
【図３】図３は、実施形態によるモデリング方法の手順の一例を示すフローチャートである。
【図４】図４は、実施形態によるＢＩＭサーバでのエレベータモデリングの処理の内容の一例を模式的に示す図である。
【発明を実施するための形態】
【０００８】
以下に添付図面を参照して、実施形態にかかる昇降機のモデリング装置およびモデリング方法を詳細に説明する。なお、これらの実施形態により本発明が限定されるものではない。
【０００９】
図１は、実施形態によるＢＩＭシステムの機能構成の一例を模式的に示すブロック図である。ＢＩＭシステム１は、概略的に、ＢＩＭモデルの昇降機の３次元モデル（すなわち、昇降機のＢＩＭ部品）等の情報を提供するＢＩＭサーバ１００、昇降機の設計、保守などを行うユーザが所持する情報処理装置３００と、を通信可能に接続して構成される。ＢＩＭサーバ１００は、モデリング装置に対応する。ここで、図１に示すように、通信には、一例として、ネットワーク４００を介した有線・無線通信等の遠隔通信等を含む。また、これらＢＩＭシステム１の各部は任意の通信路を介して通信可能に接続されている。
【００１０】
ＢＩＭサーバ１００は、概略的に、制御部１１０と記憶部１２０とを少なくとも備える。ＢＩＭサーバ１００は、情報処理装置３００から送信される作成条件に対応するＢＩＭモデルを作成し、情報処理装置３００へ送信する等の機能を有する。ＢＩＭサーバ１００は、通信制御インタフェース部１３０を介してネットワーク４００を経由し、情報処理装置３００と相互に通信可能に接続されている。
【００１１】
制御部１１０は、各種処理を行う制御手段である。通信制御インタフェース部１３０は、通信回線または電話回線等に接続されるアンテナまたはルータ等の通信装置（図示せず）に接続されるインタフェースであり、ＢＩＭサーバ１００とネットワーク４００との間における通信制御を行う機能を有する。すなわち、通信制御インタフェース部１３０は、情報処理装置３００等と通信回線を介してデータを通信する機能を有している。
【００１２】
記憶部１２０は、ＨＤＤ（Hard  Disk  Drive）等の固定ディスク装置またはＳＳＤ（Solid  State  Drive）等のストレージ手段であり、各種のデータベースまたはテーブル等の情報（部品情報記憶部１２１等）を格納する。
【００１３】
記憶部１２０に記憶される部品情報記憶部１２１は、建築物のＢＩＭモデルに組込可能な昇降機のＢＩＭ部品を作成するための部品情報を記憶する部品情報記憶手段である。
【００１４】
本実施形態において、昇降機は、エレベータおよび乗客コンベアを含む概念であり、乗客コンベアは、エスカレータおよび動く歩道を含む。ここで、部品情報は、利用者が昇降機のＢＩＭ部品を設計する上で必要となるあらゆる情報を含む。部品情報としては、例えば、用途、定員、積載量、動作速度、色、機種等といった昇降機の仕様、昇降機を建築物に設置する際に必要とされるスペース、寸法、各種付属設備に関する情報、価格、寸法、質量、色、素材、固有振動数といった情報、更に、納期、在庫状況、据付時間、仕上げ材、メーカ情報、品番型番などが含まれているが、上記に限定されない。
【００１５】
また、部品情報記憶部１２１は、製造ユニットにおける規格昇降機の標準品、外注標準品、あるいは在庫ストック品の部品モデルを含む。さらに、部品情報は、ＢＩＭ部品を構成する各ユニットと、部品と、の間の関連付けがなされている。本実施形態では、ユニットとしては、生産工程を基準としたもの、輸送ユニットを基準としたもの、工事組立工程を基準としたものが用いられる。つまり、各部品について、どの生産工程で生産されるものかを示す情報、どの輸送ユニットに属するものかを示す情報、およびどの工事組立工程で組み立てられるものかを示す情報が付されている。また、部品が複数の構成部材で構成される場合には、部品と構成部材とが関連付けされ、各構成部材について、さらに上流のどの生産工程で生産されるかを示す情報が付される。
【００１６】
例えば、本実施形態のように昇降機がエレベータである場合には、ＢＩＭ部品を構成する工事組立工程を基準としたユニットとしては、例えば乗場、レール、操作盤付きかご、カウンタウェイトおよび巻上機などを例示することができる。また、ＢＩＭ部品を構成する輸送ユニットを基準としたものとして、乗場装置、乗場ドア、レール、かご、かご内操作盤、カウンタウェイトおよび巻上機などを例示することができる。すなわち、工事組立工程を基準とした乗場が、輸送ユニットでは乗場装置と乗場ドアとに分割され、工事組立工程を基準とした操作盤付きかごが、輸送ユニットではかごとかご内操作盤とに分割される。さらに、ＢＩＭ部品を構成する生産工程を基準としたものとして、乗場装置、乗場ドア、レール、天井、側板、床、枠、かご内操作盤、カウンタウェイトおよび巻上機などを例示することができる。すなわち、輸送ユニットを基準としたかごが、生産工程では天井、側板、床および枠に分割される。このような各ユニット間の関係を示す情報も、部品情報記憶部１２１に含まれている。
【００１７】
次に、制御部１１０について説明する。制御部１１０は、ＯＳ（Operating  System）等の制御プログラム、各種の処理手順等を規定したプログラム、および所要データを格納するための内部メモリを有する。そして、制御部１１０は、これらのプログラム等により、種々の処理を実行するための情報処理を行う。制御部１１０は、機能概念的に、作成条件受信部１１１および昇降機モデリング部１１２を備える。
【００１８】
作成条件受信部１１１は、ユーザが保持する情報処理装置３００から送信される作成条件を受信する作成条件受信手段である。ここで、作成条件は、利用者が所望する昇降機の仕様等を示す条件である。つまり、作成条件は、建築物のＢＩＭモデルに組込可能な昇降機のＢＩＭ部品を作成するための条件を指定する。作成条件は、例えば、機種、色、素材、希望の価格、納期、利用者の嗜好性等のうちの少なくとも１つを含んでいればよい。
【００１９】
昇降機モデリング部１１２は、作成条件受信部１１１により受信された作成条件に対応する昇降機のＢＩＭ部品を、部品情報記憶部１２１に記憶された部品情報を用いて作成する昇降機モデリング手段である。昇降機モデリング部１１２は、例えば、エレベータの３次元のＢＩＭ部品を作成する。図２は、エレベータのＢＩＭ部品の一例を示す図である。エレベータのＢＩＭ部品であるエレベータモデルとして、乗場ドア２０１、乗場ドア２０１に併設された乗場装置２０２、かご２０３、レール２０４、ロープ２０５、釣り合い重り２０６、制御盤２０７および巻上機２０８が示されている。
【００２０】
昇降機モデリング部１１２は、モデル容量推定部１１２１と、基本モデル作成部１１２２と、オプションモデル作成部１１２３と、通信モデル作成部１１２４と、ユーザ表示モデル作成部１１２５と、を有する。
【００２１】
モデル容量推定部１１２１は、入力された作成条件にしたがって部品情報記憶部１２１から部品情報を取得し、モデルを作成した場合のモデル容量を推定する。ここでは、建築部材、かご用品、昇降路用品および乗場用品のように昇降機のＢＩＭ部品を複数の用品に分割した時のそれぞれの用品のモデル容量を推定する。例えば、昇降路全長に関連する仕様および建築構造が仕様入力で入力された場合には、モデル容量推定部１１２１は、建築躯体、鉄骨部材、レールモデルのモデル容量を推定する。エレベータの種類およびかごのサイズ、台数が仕様入力で入力された場合には、モデル容量推定部１１２１は、かごのモデル容量を推定する。階床設定および乗場使用が仕様入力で入力された場合には、モデル容量推定部１１２１は、乗場用品のモデル容量を推定する。また、オプション仕様が仕様入力で入力された場合には、モデル容量推定部１１２１は、昇降路用品のモデル容量を推定する。
【００２２】
基本モデル作成部１１２２は、モデル容量推定部１１２１で推定された各モデルの合計容量が所定値以上である場合に、部品情報記憶部１２１の部品情報に基づいて、昇降機のＢＩＭ部品を生産工程ごとの基本モデルに分割する。基本モデル作成部１１２２は、例えば昇降機のＢＩＭ部品を製作用品ごとに分割し、生産工程を各マスタ部品（ストック品、外注標準品、規格標準品）の単位の基本モデルに分割する。昇降機のＢＩＭ部品を分割する際に、分割した基本モデルの容量が所定の基準値を超える場合には、基本モデルをさらに上流工程まで分割する。このような分割は、部品情報記憶部１２１に予め登録された部品と構成部材との関連付けに基づいて行われる。
【００２３】
オプションモデル作成部１１２３は、入力されたオプション仕様に応じたオプションモデルの作成を行う。例えば、オプションモデル作成部１１２３は、基本モデルにオプション仕様に応じたオプションを付加して、オプションモデルを作成する。
【００２４】
通信モデル作成部１１２４は、それぞれの用品について、輸送ユニット単位で基本モデルまたはオプションモデルを組み立てて、組立モデルを作成し、かご用品、昇降路用品、乗場用品および建築部材のいずれかに分類する。輸送ユニット単位は、建築物まで輸送される部品の組立単位である。例えば、天井、側板、床、枠などが組み立てられたものがかごであり、この単位で工場から建築物まで運ばれる場合には、かごが輸送ユニット単位となる。また、通信モデル作成部１１２４は、それぞれの用品について、工事組立順序で組立モデルについてモデリングを行い、通信モデルを作成する。つまり、組立モデルのうち、同じ工事工程で組み立てられるものをまとめたものを通信モデルとする。通信モデル作成部１１２４は、通信モデルを作成すると、その時点でのユーザの情報処理装置３００との間の通信の応答時間の測定を行う。通信モデル作成部１１２４は、通信の応答時間が所定の基準値を超える場合、すなわち情報処理装置３００との間の通信状況が良好ではない場合に、通信モデルを分割して新たな通信モデルを作成する。
【００２５】
ユーザ表示モデル作成部１１２５は、情報処理装置３００との間の通信状況が所定の条件を満たす場合に、通信モデル作成部１１２４で作成された通信モデルを、ユーザが確認している通信モデル周辺から情報処理装置３００へと送信し、情報処理装置３００側でモデルの統一座標を基に組み立てて、３次元モデル、すなわち昇降機のＢＩＭ部品の表示を行う。通信状況は、例えば情報処理装置３００の通信の応答時間である。通信の応答時間が所定の基準値以下である場合に、ユーザ表示モデル作成部１１２５は、通信モデルを情報処理装置３００に送信する。ユーザが確認している通信モデルは、例えば情報処理装置３００でユーザが表示処理要求を出した用品に対応する通信モデルである。ユーザ表示モデル作成部１１２５は、ユーザが表示処理要求を出した用品に対応する通信モデルから優先的に情報処理装置３００に送信し、情報処理装置３００のブラウザに３次元モデルを表示する。
【００２６】
以上のような制御部１１０の構成によって、ＢＩＭサーバ１００は自動モデリングサービスをユーザの情報処理装置３００に対して提供する。
【００２７】
情報処理装置３００は、建築物の昇降機の設計者、保守者などのユーザが利用する情報処理装置等である。情報処理装置３００は、例えば、一般に市販されるデスクトップ型またはノート型のパーソナルコンピュータ等の情報処理装置等である。情報処理装置３００は、例えば、インターネットブラウザ等を搭載している
【００２８】
情報処理装置３００は、建築物に組み込み可能な昇降機のＢＩＭ部品を作成するための作成条件をＢＩＭサーバ１００に送信し、ＢＩＭサーバ１００で作成されたＢＩＭ部品を受信し、インターネットブラウザ上に表示する。
【００２９】
このように、本実施形態では、建築物のＢＩＭモデルに組込可能な昇降機のＢＩＭ部品を作成する際に、生産工程ごとにモデルを分割して基本モデルを作成し、基本モデルに対してオプションを付加したオプションモデルを作成する。ついで、この基本モデルまたはオプションモデルを、輸送ユニット単位で組み立てた組立モデルを作成し、さらに工事組立て順序で組み立てた通信モデルを作成する。通信モデルを作成した時点における通信の応答時間が所定の基準値以下であれば、この通信モデルがユーザの情報処理装置３００へと送信され、情報処理装置３００で、３次元の昇降機のＢＩＭ部品（昇降機モデル）が表示されることになる。
【００３０】
つぎに、このようなシステムでのモデリング方法について説明する。図３は、実施形態による昇降機のモデリング方法の手順の一例を示すフローチャートである。以下では、昇降機としてエレベータを例に挙げて説明する。図４は、実施形態によるＢＩＭサーバでのエレベータモデリングの処理の内容の一例を模式的に示す図である。なお、図４は、一例を示すものであり、実際のエレベータのモデリング方法は、図４と異なっていてもよい。
【００３１】
まず、ＢＩＭサーバ１００の制御部１１０の作成条件受信部１１１は、情報処理装置３００からエレベータの仕様等を示す作成条件を受信する。例えば、制御部１１０がユーザの情報処理装置３００のインターネットブラウザに作成条件の入力画面を表示し、ユーザが入力画面に作成条件を入力し、ＢＩＭサーバ１００への送信コマンドを実行することによって、作成条件がＢＩＭサーバ１００へと送信される。
【００３２】
例えば、まず、作成条件受信部１１１は、情報処理装置３００から昇降路全長に関する仕様および建築構造を含む建築部材用の作成条件を受信する（ステップＳ１１）。モデル容量推定部１１２１は、部品情報記憶部１２１に記憶された部品情報を用いて入力された作成条件に対応する建築部材用モデルを作成し、このときのモデル容量を推定する（ステップＳ１２）。建築部材用モデルには、建築躯体モデル、鉄骨部材またはレールモデル等が含まれる。
【００３３】
ついで、作成条件受信部１１１は、情報処理装置３００からエレベータの機種およびかごサイズ、台数を含むかご用品用の作成条件を受信する（ステップＳ１３）。モデル容量推定部１１２１は、部品情報記憶部１２１に記憶された部品情報を用いて入力された作成条件に対応するかごモデルを作成し、このときのモデル容量を推定する（ステップＳ１４）。
【００３４】
さらに、作成条件受信部１１１は、情報処理装置３００から階床設定および乗場仕様を含む乗場用品用の作成条件を受信する（ステップＳ１５）。モデル容量推定部１１２１は、部品情報記憶部１２１に記憶された部品情報を用いて入力された作成条件に対応する乗場モデルを作成し、このときのモデル容量を推定する（ステップＳ１６）。
【００３５】
また、作成条件受信部１１１は、情報処理装置３００からオプション仕様を含む昇降路用品用の作成条件を受信する（ステップＳ１７）。モデル容量推定部１１２１は、部品情報記憶部１２１に記憶された部品情報を用いて入力された作成条件に対応する昇降路用品用モデルを作成し、このときのモデル容量を推定する（ステップＳ１８）。
【００３６】
その後、モデル容量推定部１１２１は、各モデルの合計容量が所定値以上であるかを判定する（ステップＳ１９）。各モデルの合計容量が所定値以上である場合（ステップＳ１９でＹｅｓの場合）には、基本モデル作成部１１２２は、昇降機のＢＩＭ部品であるエレベータモデルを生産工程ごとに分割した基本モデルを作成する（ステップＳ２０）。図４のステップＳ１１０に示されるように、基本モデル作成部１１２２は、例えば、乗場用品を、乗場装置５０１、乗場ドア５０２、レール５０３などの生産工程ごとに分割し、かご用品を、天井５０４、側板５０５、床５０６、枠５０７、かご内操作盤５０８などの生産工程ごとに分割し、昇降路用品を、カウンタウェイト５０９、巻上機５１０などの生産工程ごとに分割する。
【００３７】
基本モデル作成部１１２２は、分割した基本モデルの容量が基準値を超えるかを判定し（ステップＳ２１）、基本モデルの容量が基準値を超える場合（ステップＳ２１でＹｅｓの場合）にはステップＳ２０に戻り、基本モデルの容量が基準値以下となるまで処理を行う。この場合には、部品情報記憶部１２１にしたがって、基本モデルをさらに上流工程まで分割する。
【００３８】
基本モデルの容量が基準値以下である場合（ステップＳ２１でＮｏの場合）には、オプションモデル作成部１１２３は、入力されたオプション仕様に応じて、基本モデルにオプションを追加したオプションモデルを作成する（ステップＳ２２）。図４のステップＳ１２０に示されるように、オプションモデル作成部１１２３は、乗場装置５０１、乗場ドア５０２、天井５０４、側板５０５、床５０６およびかご内操作盤５０８の基本モデルにオプション仕様に応じたオプションを付加したオプションモデルを作成する。オプションモデルは、それぞれＬＥＤ（Light  Emitting  Diode）表示付き乗場装置５０１ａ、幕板付き乗場ドア５０２ａ、オプション意匠天井５０４ａ、オプション意匠側板５０５ａ、オプション意匠床５０６ａおよびかご内操作盤（液晶）５０８ａとなる。
【００３９】
ついで、通信モデル作成部１１２４は、それぞれの用品について、基本モデルまたはオプションモデルを輸送ユニット単位まで組み立てた組立モデルを作成する（ステップＳ２３）。例えば、かごが輸送ユニット単位であるとすると、図４のステップＳ１３０に示されるように、オプション意匠天井５０４ａ、オプション意匠側板５０５ａ、オプション意匠床５０６ａおよび枠５０７のオプションモデルを用いて組立モデルであるかご５２０が作成される。なお、レール５０３、カウンタウェイト５０９および巻上機５１０の基本モデルと、ＬＥＤ表示付き乗場装置５０１ａ、幕板付き乗場ドア５０２ａおよびかご内操作盤（液晶）５０８ａのオプションモデルと、は、輸送ユニット単位の組立モデルとなるものとする。
【００４０】
その後、あるいはステップＳ１９で各モデルの合計容量が所定値未満である場合（ステップＳ１９でＮｏの場合）には、通信モデル作成部１１２４は、それぞれの用品の組立モデルを、かご用品、昇降路用品、乗場用品および建築部材のいずれかに分類する（ステップＳ２４）。
【００４１】
ついで、通信モデル作成部１１２４は、それぞれの用品の組立モデルを、工事組立工程ごとに組み立てた通信モデルを作成する（ステップＳ２５）。図４のステップＳ１４０に示されるように、通信モデル作成部１１２４は、ＬＥＤ表示付き乗場装置５０１ａと幕板付き乗場ドア５０２ａとが、乗場５２１として同じ工事組立工程で組み立てられるものとし、通信モデルが作成されるものとする。また、かご５２０とかご内操作盤（液晶）５０８ａとが、操作盤付きかご５２０ａとして同じ工事組立工程で組み立てられるものとし、通信モデルが作成されるものとする。その他の、レール５０３、カウンタウェイト５０９および巻上機５１０の組立モデルは、そのまま通信モデルとなるものとする。
【００４２】
その後、通信モデル作成部１１２４は、ユーザの情報処理装置３００との間の通信の応答時間を計測し（ステップＳ２６）、通信の応答時間が予め定められた基準値を超えているかを判定する（ステップＳ２７）。通信の応答時間が予め定められた基準値を超えている場合（ステップＳ２７でＹｅｓの場合）には、容量が小さくなるように通信モデルをさらに分割し、新たな通信モデルを作成する（ステップＳ２８）。この時、ステップＳ２５で組み立てた工事組立工程をさらに細分化し、通信の応答時間に応じて細分化した工程ごとに組立モデルを組み立て、新たな通信モデルを作成する。その後、ステップＳ２７へと処理が戻る。
【００４３】
例えば通信の応答時間が基準値を超えていた場合に、図４のステップＳ１５０に示されるように、通信モデルの乗場５２１が、新たな通信モデルのＬＥＤ表示付き乗場装置５０１ａと幕板付き乗場ドア５０２ａとに分割され、通信モデルの操作盤付きかご５２０ａが、新たな通信モデルのかご５２０とかご内操作盤（液晶）５０８ａとに分割される。この場合の通信モデルは、ＬＥＤ表示付き乗場装置５０１ａ、幕板付き乗場ドア５０２ａ、レール５０３、かご５２０、かご内操作盤（液晶）５０８ａ、カウンタウェイト５０９および巻上機５１０が通信モデルとされる。
【００４４】
一方、ステップＳ２７で通信の応答時間が予め定められた基準値以下である場合（ステップＳ２７でＮｏの場合）には、ユーザ表示モデル作成部１１２５は、ユーザが表示しようとしている用品を取得する（ステップＳ２９）。例えば、情報処理装置３００のインターネットブラウザを介した用品の表示要求を受信することによって、ユーザが表示しようとしている用品を取得することができる。
【００４５】
ついで、ユーザ表示モデル作成部１１２５は、ユーザが表示しようとしている用品に対応する通信モデルから優先してユーザの情報処理装置３００へと送信し（ステップＳ３０）、ユーザの情報処理装置３００で通信モデルを統合したＢＩＭモデルを生成し、インターネットブラウザに表示させる（ステップＳ３０）。図４に示されるステップＳ１６０で、上記した通信モデルがユーザの情報処理装置３００へと送信され、情報処理装置３００上で、複数の通信モデルを用いてエレベータモデル５５０が構築される。以上で、処理が終了する。
【００４６】
なお、上記した説明では、ネットワーク４００上にＢＩＭ部品のモデリングを行うＢＩＭサーバ１００を物理的に配置した場合を例に示したが、実施形態がこれに限定されない。例えば、クラウドサーバに昇降機のＢＩＭ部品のモデリングを行うＢＩＭサーバの機能を持たせるようにしてもよい。この場合、昇降機のルールに基づいたモデリングルールは、クラウドシステム上に構築されたモデリングシステムでカスタマイズされる。
【００４７】
実施形態によれば、ＢＩＭサーバ１００は、昇降機のＢＩＭ部品のモデリングを行う際に、昇降機の生産工程を単位として、ＢＩＭ部品である昇降機モデルを基本モデルに分割し、基本モデルに対してオプションを付加したオプションモデルを作成する。ついで、ＢＩＭサーバ１００は、輸送ユニット単位で基本モデルまたはオプションモデルを組み立てて組立モデルを作成し、さらに昇降機の工事組立工程を単位として組立モデルを組み立てた通信モデルを作成する。そして、ユーザが表示しようとしている用品に対応する通信モデルから優先してユーザの情報処理装置３００に送信し、表示するようにした。これによって、ＢＩＭサーバ１００でモデリングするＣＡＤ（Computer-Aided  Design）データの容量が大きい場合でも、用品ごとに分割されるので、ＢＩＭサーバ１００のモデリング負担を抑えることができ、また、モデリングの処理速度を従来に比して向上することができる。
【００４８】
また、多くの部品から構成されるエレベータを含む昇降機の用品についても、生産工程単位、輸送ユニット単位および工事組立工程単位でユーザの情報処理装置３００側に通信を行い、ユーザの情報処理装置３００側で組み立てていくようにした。これによって、ユーザが設計内容または工事工程ごとの必要な部分を確認しながらモデリングすることができる。さらに、ユーザが設計者ではなく、保守を行う作業者である場合には、生産工程ごと、あるいは輸送ユニット単位ごとにモデルを確認することで、必要な保守部品の確認が簡易になる。
【００４９】
さらに、ユーザ側から入力された仕様からモデル容量を算出し、モデル容量に応じて、昇降機モデルの分解、組立を行うようにした。これによって、ＢＩＭサーバ１００の処理負担を軽減することができる。
【００５０】
また、ＢＩＭサーバ１００とユーザの情報処理装置３００との間の通信状況に応じて、輸送ユニット単位または工事組立工程単位に分割、あるいは組み立てるようにしたので、通信速度が遅い状況下でも、ユーザが欲している用品から優先して情報処理装置３００に表示することができる。また、ユーザの情報処理装置３００側でのモデル構築処理の負担を軽減することができる。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１…ＢＩＭシステム、１００…ＢＩＭサーバ、１１０…制御部、１１１…作成条件受信部、１１２…昇降機モデリング部、１２０…記憶部、１２１…部品情報記憶部、１３０…通信制御インタフェース部、３００…情報処理装置、４００…ネットワーク、１１２１…モデル容量推定部、１１２２…基本モデル作成部、１１２３…オプションモデル作成部、１１２４…通信モデル作成部、１１２５…ユーザ表示モデル作成部。
【図１】
2020095311.tif 000003
【図２】
2020095311.tif 000004
【図３】
2020095311.tif 000005
【図４】
2020095311.tif 000006